(57)【要約】【課題】分割構造とした吸気ダクト１をエアクリーナケース２の円筒状取付部１２内に嵌合させる作業を円滑なものとする。【解決手段】吸気ダクト１は第１のダクト半部３と第２のダクト半部４とに分割されており、係止爪５によって一体に組み立てられている。円筒状取付部１２に挿入される端部１１には、第１の突起半部３２および第２の突起半部３３からなる突起部３１を有し、先端縁１７から突出している部分に案内面３７，３８を有する。円筒状取付部１２には、突起部３１に対応した切欠部４１が形成されている。挿入時には、突起部３１が先行して切欠部４１内に入り、両ダクト半部３，４を互いに密接させるので、ダクト半部３，４の反り等があっても、円滑に挿入できる。【選択図】図１
2013245620.tif 000002
【特許請求の範囲】
【請求項１】
半割構造にそれぞれ成形した合成樹脂製の第１のダクト半部と第２のダクト半部とを互いに組み合わせて円筒状のダクトとし、このダクトの端部を相手側部材の円筒状取付部内に嵌合させてなるダクトの嵌合構造において、
上記ダクト端部の外周面に、上記第１のダクト半部と上記第２のダクト半部との２箇所の分割線部分にそれぞれ設けられた突起部を備えるとともに、
上記取付部には、上記突起部にそれぞれ対応した形状をなす一対の切欠部を有し、
上記突起部は、上記第１のダクト半部に一体に成形された第１の突起半部と、上記第２のダクト半部に一体に成形された第２の突起半部と、からなり、互いに組み合わせた状態では、ダクトの軸方向に平行な一対の側縁を備えた略矩形状をなすとともに、その一部が上記ダクト端部の先端縁から軸方向に突出しており、
上記切欠部は、上記一対の側縁に密接する一対の平行な切欠側縁を備えており、
上記突出部分の先端あるいは上記切欠部の開口端縁には、挿入時に上記第１の突起半部および上記第２の突起半部が互いに密接する方向に力を受けるように上記軸方向に対し傾いた案内面が形成されている、ことを特徴とするダクトの嵌合構造。
【請求項２】
上記案内面は、上記第１の突起半部および上記第２の突起半部の双方にそれぞれ設けられていることを特徴とする請求項１に記載のダクトの嵌合構造。
【発明の詳細な説明】
【技術分野】
【０００１】
この発明は、例えば合成樹脂製エアクリーナケースなどの相手側部材の円筒状取付部内に合成樹脂製ダクトの端部を嵌合させるようにしたダクトの嵌合構造に関し、特に、ダクト端部が半割構造となっている場合のダクトの嵌合構造に関する。
【背景技術】
【０００２】
特許文献１に開示されているように、例えば自動車の吸気ダクト等として、合成樹脂製のダクトを半割構造とし、射出成形などによって第１のダクト半部および第２のダクト半部をそれぞれ成形した上で、両者を側縁の係止爪などの機械的係合構造によって一体に組み合わせた構成が知られている。
【０００３】
また、特許文献２には、半割構造に成形した一対のダクト半部に、それぞれ側縁に沿った帯状のフランジを設け、これらのフランジを互いに突き合わせて溶着することで、円筒状の吸気ダクトとすることが開示されている。このように円筒状とした吸気ダクトの端部は、エアクリーナケース側の円筒状ダクトの内側に挿入され、互いに嵌合した状態となるが、上記フランジとの干渉を避けるために、エアクリーナケース側のダクトには、フランジの長さに対応したスリットが形成されている。
【先行技術文献】
【特許文献】
【０００４】
【特許文献１】特開２０１１−２０２５０８号公報
【特許文献２】特開２００３−２４７４６５号公報
【発明の概要】
【発明が解決しようとする課題】
【０００５】
上記の特許文献１のように半割構造として係止爪により一体化するようにしたダクトにおいては、その端部を他のダクトやエアクリーナケースの円筒状取付部の内側に嵌合させる場合に、一般に、円筒状取付部内に挿入されるダクト端部では、一対のダクト半部は互いに固定されていない。つまり、円筒状取付部と重ならない部分において側縁の係止爪による２つのダクト半部の固定が行われ、ダクト端部は、係止爪等を具備しない単純な円筒状となる。
【０００６】
そのため、射出成形等による各ダクト半部の僅かな反りや成形誤差等により、ダクト先端において２つのダクト半部が僅かに離れた状態つまり分割線を挟んで僅かに浮き上がった状態となってしまうことがある。このような場合に、相手側部材の円筒状取付部内へ挿入することができなくなったり、その挿入が困難となることがあり、作業性の悪化を来す要因となる。
【０００７】
なお、特許文献２では、ダクトの先端近くまでフランジを延ばして溶着を行っているが、振動溶着などではより大型のフランジが必要であり、ダクト先端まで２つのダクト半部を互いに溶着することは現実的ではない。
【課題を解決するための手段】
【０００８】
この発明は、半割構造にそれぞれ成形した合成樹脂製の第１のダクト半部と第２のダクト半部とを互いに組み合わせて円筒状のダクトとし、このダクトの端部を相手側部材の円筒状取付部内に嵌合させてなるダクトの嵌合構造において、
上記ダクト端部の外周面に、上記第１のダクト半部と上記第２のダクト半部との２箇所の分割線部分にそれぞれ設けられた突起部を備えるとともに、
上記取付部には、上記突起部にそれぞれ対応した形状をなす一対の切欠部を有し、
上記突起部は、上記第１のダクト半部に一体に成形された第１の突起半部と、上記第２のダクト半部に一体に成形された第２の突起半部と、からなり、互いに組み合わせた状態では、ダクトの軸方向に平行な一対の側縁を備えた略矩形状をなすとともに、その一部が上記ダクト端部の先端縁から軸方向に突出しており、
上記切欠部は、上記一対の側縁に密接する一対の平行な切欠側縁を備えており、
上記突出部分の先端あるいは上記切欠部の開口端縁には、挿入時に上記第１の突起半部および上記第２の突起半部が互いに密接する方向に力を受けるように上記軸方向に対し傾いた案内面が形成されている、ことを特徴としている。
【０００９】
上記の構成においては、第１のダクト半部と第２のダクト半部とを組み合わせてなるダクトを円筒状取付部に軸方向に挿入すれば、ダクト先端縁から軸方向に突出している突起部が先ず切欠部内に入り込もうとする。このとき、突起部の突出部分の先端あるいはこれを受ける切欠部の開口端縁のいずれかに案内面が設けられているので、仮に第１の突起半部と第２の突起半部とが互いに浮き上がっていたとしても、両者が互いに密接する方向に締め付けられる形となる。従って、２つの突起半部が互いに密接した一つの突起部となって切欠部内に円滑に挿入され、突起部外側の側縁が切欠部の切欠側縁に密接する。これに伴い、それぞれ半円形をなすダクト半部の先端縁も１つの円として隙間なく連続したものとなり、ダクト端部が円筒状取付部内に円滑に嵌合する。
【００１０】
上記案内面は、突起部の突出部分が先細りとなるように、直線状ないし曲線状のものとして突起部側に設けることができ、第１の突起半部および第２の突起半部の少なくとも一方に設ければ足りる。好ましい一つの実施例では、上記案内面は突出部分の先端において、上記第１の突起半部および上記第２の突起半部の双方にそれぞれ設けられている。これにより、２つの突起半部が両側から押される形となる。
【００１１】
また、上記案内面は、切欠部側にあってもよく、この場合は、上記突起部を単純な矩形状とし得る。この切欠部側の案内面としては、切欠部の開口幅が軸方向に沿って徐々に拡がっていくように直線状ないし曲線状のものとして設けることができ、一対の切欠側縁の一方の側もしくは両側に対し設けることができる。
【発明の効果】
【００１２】
この発明によれば、相手側部材の円筒状取付部内に挿入されるダクト端部の先端において第１のダクト半部と第２のダクト半部とが互いに浮き上がっていた場合でも、突起部と切欠部との相互作用によりダクト端部を円筒状取付部内に円滑に挿入することができ、作業性が向上する。
【図面の簡単な説明】
【００１３】
【図１】この発明に係る嵌合構造を備えた吸気ダクトとエアクリーナケースの要部を示す斜視図。
【図２】吸気ダクトの分解斜視図。
【図３】突起部および切欠部の形状を示す側面図。
【図４】突起部および切欠部の形状の他の例を示す側面図。
【図５】突起部および切欠部の形状のさらに他の例を示す側面図。
【図６】案内面を切欠部側に設けた実施例を示す側面図。
【発明を実施するための形態】
【００１４】
以下、この発明の一実施例を図面に基づいて詳細に説明する。
【００１５】
図１は、この発明の一実施例として、自動車用内燃機関の吸気ダクト１をエアクリーナケース２に取り付けるための嵌合構造を示している。上記吸気ダクト１は、長手方向の中心軸線を通る分割面に沿って第１のダクト半部３と第２のダクト半部４とに分かれた半割構造を有し、各々のダクト半部３，４は、硬質合成樹脂の射出成形によってそれぞれ半円形の断面形状をなすように成形されている。そして、長手方向の複数箇所において、第１のダクト半部３の側縁に係止爪５が設けられているとともに、この係止爪５に対応して第２のダクト半部４の側縁にスリット状の係合孔６（図２参照）が形成されており、両者の係合によって、第１のダクト半部３と第２のダクト半部４とが一体化されている。
【００１６】
詳しくは、図２に示すように、第１のダクト半部３の側縁に沿ってフランジ部８が形成されており、このフランジ部８から外周面の接線方向に沿って係止爪５が突出している。この係止爪５は、先端にフック部５ａを備えている。また、第２のダクト半部４の側縁に沿ってフランジ部９が形成されており、その一部が幅広となっているとともに、この部分に、係合孔６が貫通形成されている。これらの係止爪５および係合孔６以外の部分では、上記第１のダクト半部３のフランジ部８の外側縁から断面Ｌ字形をなすようにカバー部１０が延びており、第２のダクト半部４のフランジ部９の外側面を覆っている。換言すれば、カバー部１０は、フランジ部９外側面に比較的緩く嵌合している。
【００１７】
上記のように２つのダクト半部３，４を組み合わせてなる円筒状の吸気ダクト１の一方の端部１１は、エアクリーナケース２の円筒状取付部１２内周面に嵌合させるために、単純な円筒形をなしている。つまり、この端部１１の領域においては、フランジ部８，９や係止爪５および係合孔６は設けられていない。なお、第１のダクト半部３と第２のダクト半部４との分割線ＰＬにおいて、両ダクト半部３，４の側縁の位置を半径方向に拘束するために、端部１１の領域には、互いに噛み合う段部１３，１４が設けられている。つまり、第１のダクト半部３の側縁は、吸気ダクト１の外周面に沿って延びた段部１３を有し、第２のダクト半部４の側縁は、吸気ダクト１の内周面に沿って延びた段部１４を有し、これらの段部１３，１４が互いに係合している。なお、図示例では段部１３，１４を端部１１の領域のみに設けてあるが、これに限らず、第１のダクト半部３と第２のダクト半部４との分割線ＰＬに沿って連続して設けるようにしてもよい。
【００１８】
また、吸気ダクト１の端部１１をエアクリーナケース２側の円筒状取付部１２内に挿入したときの挿入限界を規定するように、第１のダクト半部３および第２のダクト半部４のそれぞれに、吸気ダクト１外周面から円弧形に突出したストッパ部１５，１６が形成されている。また、吸気ダクト１の先端縁１７には、円筒状取付部１２内に挿入したときに該円筒状取付部１２の図示せぬ凹部ないし切欠に係合して該吸気ダクト１の引き抜きを阻止する係止部１９が、やはり吸気ダクト１の外周面から円弧形に突出した形に形成されている。図示例では、第１のダクト半部３の１箇所にのみ係止部１９が設けられているが、複数箇所、例えば１８０°離れた２箇所に係止部１９を設けるようにしてもよい。さらに、吸気ダクト１の一般部と上記端部１１との境界となる部分、つまりストッパ部１５，１６に隣接した位置には、円筒状取付部１２の先端縁４２に比較的密に接するように、端部１１外周面よりも僅かに大径となった環状部２２が設けられている。
【００１９】
なお、上記のように円筒状取付部１２内に挿入される吸気ダクト１の端部１１は、断面真円形の円筒状をなしているが、吸気ダクト１のこれ以外の部分つまり長手方向の中間部分は、断面形状が必ずしも完全な真円形でなくともよく、また図１に示すように、適宜な湾曲形状とすることもできる。
【００２０】
上記のような基本的構成を有する吸気ダクト１において、本発明では、さらに、端部１１の先端側の２箇所に、外周面から外側へ突出した突起部３１がそれぞれ設けられている。これらの突起部３１は、第１のダクト半部３と第２のダクト半部４との分割線ＰＬの位置に設けられているものであり、図３にも示すように、第１のダクト半部３に一体に成形された略矩形の第１の突起半部３２と、第２のダクト半部４に一体に成形された略矩形の第２の突起半部３３と、から構成されている。つまり、両者を組み合わせた状態においては、突起部３１は、全体として略矩形状をなしており、これが分割線ＰＬに沿って２分割された構成となっている。
【００２１】
両者を組み合わせた状態において、上記突起部３１は、吸気ダクト１の端部１１の軸方向に平行な一対の側縁３４，３５を備えている。また、上記軸方向に直交する面に沿った先端縁３６を備えており、この先端縁３６を含む突起部３１の一部は、吸気ダクト１の端部１１の円形をなす先端縁１７から上記軸方向に突出している。なお、上記の先端縁３６は、実際には、第１の突起半部３２と第２の突起半部３３との双方によって構成されている。そして、上記の先端縁３６から側縁３４，３５の各々に連続するように、上記軸方向に対し斜めに傾斜した案内面３７，３８が設けられている。図示例では、上記案内面３７，３８は、吸気ダクト１の先端縁１７から突出した範囲の全体に亘って延びた直線状の傾斜面からなり、かつ分割線ＰＬを挟んで互いに対称に形成されている。つまり、端部１１の先端縁１７から軸方向へ延びた突起部３１の突出部分は、対称な先細り形状をなしている。
【００２２】
一方、上記のような吸気ダクト１に対し、エアクリーナケース２は、やはり硬質合成樹脂からなり、その側面の一部に、円筒状取付部１２が一体に成形されている。この円筒状取付部１２は、図示例ではエアクリーナケース２の外側面から外側へ円筒状に突出するように形成されているが、その長さの一部ないし全部がエアクリーナケース２の内側に位置するように構成することも可能である。上記円筒状取付部１２は、周方向に連続した円筒状に一体に成形されており、上記吸気ダクト１の端部１１が嵌合し得るように、該端部１１の外径に対応した内径を有している。
【００２３】
そして、上記円筒状取付部１２の先端部（吸気ダクト１の端部１１に対向する側の端部）には、１８０°離れた２箇所に、上記突起部３１に対応した形状をなす切欠部４１がそれぞれ形成されている。この切欠部４１は、円筒状取付部１２を構成する円筒壁の先端縁４２から後方へ切り込まれた形をなし、軸方向に平行な一対の切欠側縁４３，４４を有するとともに、上記突起部３１の先端縁３６に対応した軸直交方向の端縁４５および案内面３７，３８にそれぞれ対応した傾斜した端縁４６，４７を備えている。一対の切欠側縁４３，４４の間の間隔は、第１の突起半部３２および第２の突起半部３３を密に組み合わせた状態での突起部３１の側縁３４，３５の間の幅に実質的に等しい。なお、上記突起部３１は前述したように吸気ダクト１の先端縁１７よりも軸方向に突出しているので、上記切欠部４１は、上記突起部３１の外形状を軸方向にさらに延長した形状をなしている。
【００２４】
上記のような構成においては、吸気ダクト１の端部１１を例えば手作業にて円筒状取付部１２内に挿入することによって両者の組立が行われる。ここで、第１のダクト半部３と第２のダクト半部４とからなる吸気ダクト１の先端縁１７がこれらの反りや成形誤差等によって分割線ＰＬにおいて互いに僅かに離れていた場合には、突起部３１を構成する第１の突起半部３２および第２の突起半部３３が円筒状取付部１２の切欠部４１内に案内面３７，３８を介して嵌り込むことによって、両ダクト半部３，４が互いに押し付けられ、密接状態が得られる。すなわち、突起部３１は吸気ダクト１の先端縁１７よりも軸方向に突出しているので、吸気ダクト１の先端縁１７が円筒状取付部１２の先端縁４２に接する前に、先行して切欠部４１内に入り込む。そして、突起部３１の先端側は傾斜した案内面３７，３８を具備しているので、切欠部４１の実質的に直角をなす一対の開口端縁４８（図３参照）に各案内面３７，３８が接触し、吸気ダクト１が軸方向に押し込まれることに伴って、第１の突起半部３２および第２の突起半部３３を互いに密接させる方向の力が発生する。
【００２５】
従って、吸気ダクト１の先端縁１７が分割線ＰＬにおいて多少開いていても、吸気ダクト１の先端縁１７が円筒状取付部１２の先端縁４２に到達する時点では、第１のダクト半部３と第２のダクト半部４とが互いに密接した状態となり、円筒状取付部１２内に円滑に挿入することができる。そして、最終的に所定位置に嵌合した状態では、突起部３１が切欠部４１内に位置し、突起部３１の側縁３４，３５が切欠部４１の切欠側縁４３，４４に密接した状態となる。
【００２６】
上記実施例では、第１の突起半部３２および第２の突起半部３３の双方が対称に案内面３７，３８を有し、吸気ダクト１の挿入時に各突起半部３２，３３が両側から押されるため、挿入がより円滑となる利点を有しているが、本発明においては、第１の突起半部３２と第２の突起半部３３とが必ずしも対称形状でなくてもよい。さらに、いずれか一方のみ、例えば、図４に示すように、第１の突起半部３２のみに案内面３７を備えた構成も可能である。
【００２７】
また、図５は、前述した直線状の案内面３７，３８に代えて、案内面３７，３８を円弧面とした実施例を示している。このような円弧形の案内面３７，３８であっても、同様の作用を得ることができる。なお、この場合も、やはり第１の突起半部３２および第２の突起半部３３のいずれか一方のみに案内面３７，３８を設けた構成とすることができる。
【００２８】
次に、図６は、案内面を切欠部４１側に設けた実施例を示している。この実施例では、突起部３１を構成する第１の突起半部３２および第２の突起半部３３が単純な四辺形をなし、案内面３７，３８は具備していない。この突起部３１に対し、円筒状取付部１２側に設けられる切欠部４１は、基本的な形状として細長い矩形状のものとなるが、円筒状取付部１２の先端縁４２における両側の開口端縁が斜めに切り落とされており、吸気ダクト１の挿入方向（端部１１の軸方向）に対し傾いた直線状の案内面５１，５２となっている。
【００２９】
従って、この実施例においては、吸気ダクト１の挿入時に第１のダクト半部３と第２のダクト半部４とが離れていた場合に、第１の突起半部３２および第２の突起半部３３における各々の角部５３，５４が上記案内面５１，５２に先行して接触し、前述した実施例と同様に、両ダクト半部３，４を互いに密接させる方向の力が発生する。これにより、吸気ダクト１の端部１１が円筒状取付部１２内に円滑に嵌合する。
【００３０】
なお、図４に示した実施例と同様に、切欠部４１側の案内面５１，５２は、いずれか一方のみであってもよく、また図５に示した実施例と同様に、案内面５１，５２は円弧面とすることができる。
【００３１】
いずれの実施例においても、射出成形される第１のダクト半部３および第２のダクト半部４については、断面半円形をなす各ダクト半部３，４の側縁において単純な略矩形状の突起半部３２，３３が分割面に沿って側方へ張り出す形状となるので、ダクト半部３，４の成形の複雑化を招来することはない。つまり、突起半部３２，３３を備えたダクト半部３，４であっても、スライドコアを用いることなく上下のコア型とキャビティ型とでもって射出成形することが可能である。
【００３２】
以上、この発明の一実施例を詳細に説明したが、この発明は上記実施例に限定されず、種々の変更が可能である。例えば、上記実施例では、係止爪５および係合孔６の係合によって第１のダクト半部３と第２のダクト半部４とを結合しているが、端部１１以外の部分において両者を溶着ないし接着した吸気ダクトにおいても、本発明は同様に適用できる。また上記実施例では吸気ダクト１をエアクリーナケース２に接続する嵌合構造を例に説明したが、分割構造としたダクトを他のダクトに接続する箇所においても本発明は適用可能である。
【符号の説明】
【００３３】
１…吸気ダクト
２…エアクリーナケース
３…第１のダクト半部
４…第２のダクト半部
５…係止爪
１１…端部
１２…円筒状取付部
３１…突起部
３２…第１の突起半部
３３…第２の突起半部
３４，３５…側縁
３７，３８…案内面
４１…切欠部
４３，４４…切欠側縁
５１，５２…案内面
【図１】
2013245620.tif 000003
【図２】
2013245620.tif 000004
【図３】
2013245620.tif 000005
【図４】
2013245620.tif 000006
【図５】
2013245620.tif 000007
【図６】
2013245620.tif 000008